(57)【要約】【課題】  水平方向においても鉛直方向においても顕微鏡ホルダを担持装置に安全・確実に固定することができ、人間工学的にも良好に構成することができ、寿命ないし耐久性も大きい顕微鏡ホルダの固定装置の提供。【解決手段】  顕微鏡ホルダを選択された位置に保持するためのクランプ装置を有すると共に担持装置に顕微鏡ホルダを固定するための固定装置において、前記顕微鏡ホルダを前記担持装置に付加的に固定するためのロック装置（１１５、２１５、３１５、４１５）を有することを特徴とする。【選択図】  図３
2005284277.tif 000002
【特許請求の範囲】
【請求項１】
顕微鏡ホルダを選択された位置に保持するためのクランプ装置を有すると共に担持装置に顕微鏡ホルダを固定するための固定装置において、
前記顕微鏡ホルダを前記担持装置（８、１０８、２０８、３０８、４０８）に付加的に固定するためのロック装置（１１５、２１５、３１５、４１５）を有すること
を特徴とする固定装置。
【請求項２】
前記クランプ装置（１２０、２２０、３２０、４２０）は、クランプスクリュウ（１１３、２１３、３１３、４１３）を有すること
を特徴とする請求項１に記載の固定装置。
【請求項３】
前記顕微鏡ホルダ（１０２）は、前記担持装置（１０８）の受容ボア（１０７、１０９）と嵌合可能なボルト（１０３）を有すること、及び
前記ロック装置（１１５）は、前記ボルト（１０３）の雌ネジ部（１１０）に螺入可能なスクリュウ（１１１）を有すること
を特徴とする請求項１又は２に記載の固定装置。
【請求項４】
前記ロック装置（１１５）は、前記ボルト（１０３）のための前記担持装置（１０８）の前記受容ボア（１０７）の径より大きい外径を有するワッシャ（１１２）を有すること
を特徴とする請求項３に記載の固定装置。
【請求項５】
前記クランプ装置は、前記ボルト（１０３）のための前記受容ボア（１０７、１０９）の内部に前記担持装置（１０８）を介して螺入可能なクランプスクリュウ（１１３）を有すること
を特徴とする請求項３又は４に記載の固定装置。
【請求項６】
前記顕微鏡ホルダ（１０２）は、前記担持装置（２０８）の受容ボア（２０７、２０８）と嵌合可能なボルト（１０３）を有すること、及び
前記ロック装置（２１５）は、ロック位置において前記受容ボア（２０７）内の前記ボルトを保持するよう構成されバネ付勢されたスライド部材（２２４）を有すること
を特徴とする請求項１又は２に記載の固定装置。
【請求項７】
前記スライド部材（２２４）の一端面は、前記ロック位置において、前記顕微鏡ホルダ（１０２）の前記ボルト（１０３）の側面陥凹部（１１４）にスナップ式に嵌り込むよう構成されること
を特徴とする請求項６に記載の固定装置。
【請求項８】
前記スライド部材（２２４）は、該スライド部材（２２４）が前記ボルトのための前記受容ボア（２０７、２０９）の内部に陥入しないよう配された待機位置へ移動可能に構成されること
を特徴とする請求項６又は７に記載の固定装置。
【請求項９】
前記クランプ装置（２２０）は、前記ボルトのための前記受容ボア（２０７、２０９）の内部に前記担持装置（２０８）を介して螺入可能なクランプスクリュウ（２１３）を有すること
を特徴とする請求項６〜８の何れか一項に記載の固定装置。
【請求項１０】
前記クランプスクリュウの螺入の方向は、前記ロック装置（２１５）の前記スライド部材（２２４）のための前記収容ボア（２２３）の方向に対し垂直に延在するよう構成されること
を特徴とする請求項９に記載の固定装置。
【請求項１１】
前記顕微鏡ホルダ（１０２）は、前記担持装置（３０８）の受容ボア（３０７、３０９）と嵌合可能なボルト（１０３）を有すること、及び
前記ロック装置（３１５）は、ロック位置へ枢動されたとき前記ボルトのための前記受容ボア（３０７、３０９）内の該ボルトを保持するよう構成され回動可能に結合されたクランプレバー（３２６）を有すること
を特徴とする請求項１又は２に記載の固定装置。
【請求項１２】
前記クランプレバー（３２６）は、前記ロック位置において前記顕微鏡ホルダ（１０２）の前記ボルト（１０３）の側面陥凹部（１１４）に係合するリンク係合カム部（３２８）を有すること
を特徴とする請求項１１に記載の固定装置。
【請求項１３】
前記クランプレバー（３２６）は、前記受容ボア（３０７、３０９）内のボルトを解放する解放位置へ枢動可能に構成されること
を特徴とする請求項１１又は１２に記載の固定装置。
【請求項１４】
前記クランプレバー（３２６）の前記リンク係合カム部（３２８）は、該クランプレバー（３２６）の枢動範囲の大部分が前記ロック装置（３１５）のロック位置に対応し、他方前記クランプレバー（３２６）の枢動範囲の残余の部分が前記ロック装置（３１５）の解放位置に対応するよう構成されること
を特徴とする請求項１１〜１３の何れか一項に記載の固定装置。
【請求項１５】
前記クランプレバー（３２６）は、金属で作製されること
を特徴とする請求項１１〜１４の何れか一項に記載の固定装置。
【請求項１６】
前記クランプ装置（３２０）は、前記担持装置（３０８）の前記受容ボア（３０７、３０９）内に配された前記顕微鏡ホルダのボルトが、前記クランプレバー（３２６）の前記リンク係合カム部（３２８）と摩擦結合することにより位置が固定されるように、前記ロック装置（３１５）の前記クランプレバー（３２６）に螺入可能にかつ脱落不能に構成されたクランプスクリュウ（３１３）を有すること
を特徴とする請求項１１〜１５の何れか一項に記載の固定装置。
【請求項１７】
前記顕微鏡ホルダ（４０２）は、前記担持装置（４０８）の受容ボア（４０７、４０９）と嵌合可能なボルト（４０３）を有すると共に、前記ロック装置（４１５）は、ロック位置において前記ボルトのための受容ボア（４０７、４０９）内の前記ボルト（４０３）を保持するよう構成されバネ付勢された挟扼部材（４２９）を有すること
を特徴とする請求項１又は２に記載の固定装置。
【請求項１８】
前記挟扼部材（４２９）は、前記ロック位置において前記ボルト（４０３）の側面陥凹部（４１４）に係合するリンク係合カム部（４２８）を有すること
を特徴とする請求項１７に記載の固定装置。
【請求項１９】
前記挟扼部材（４２９）は、当該挟扼部材（４２９）が前記受容ボア（４０７、４０９）内のボルト（４０３）を解放する解放位置へ弾性力に抗して移動可能に構成されること
を特徴とする請求項１７又は１８に記載の固定装置。
【請求項２０】
前記挟扼部材（４２９）のロック位置からの移動を阻止するための固定スクリュウを有すること
を特徴とする請求項１７〜１９の何れか一項に記載の固定装置。
【請求項２１】
前記クランプ装置（４２０）は、前記ボルト（４０３）のための前記受容ボア（４０７、４０９）の内部へ前記担持装置（４０８）を介して螺入可能に構成されたクランプスクリュウ（４１３）を有すること
を特徴とする請求項１７〜２０の何れか一項に記載の固定装置。
【請求項２２】
前記担持装置（１０８、２０８、３０８、４０８）は、顕微鏡ホルダのボルトのための、互いに対し直交するよう配された２つの受容ボア（１０７、２０７、３０７、４０７；１０９、２０９、３０９、４０９）を有すること
を特徴とする請求項１〜２１の何れか一項に記載の固定装置。
【発明の詳細な説明】
【技術分野】
【０００１】
本発明は、顕微鏡ホルダを選択された位置に保持するためのクランプ装置を有すると共に担持体に顕微鏡ホルダを固定するための固定装置に関する。
【背景技術】
【０００２】
この種の装置は、例えば、顕微鏡ホルダに取り付けられた顕微鏡を、基底プレートによって支持された支柱に旋回可能に取り付けられた旋回アームに結合するために使用される。旋回アームは、支柱の周りで旋回可能であり、更に基底プレートに対する高さも調整可能である。この種の旋回アーム架台においては、顕微鏡ホルダを固定的に保持するための装置が使用される。
【０００３】
顕微鏡が取り付けられた旋回アーム架台の一例を図１に模式的に示す。顕微鏡ホルダ２は、顕微鏡１を担持する一方で、それ自身は旋回アーム架台の旋回アーム４に固定される。基底プレート６から屹立する支柱５は、旋回アーム４と顕微鏡ホルダ２を支持する。図１から分かるとおり、顕微鏡ホルダ２は、この場合旋回アーム４の一端部に組み込まれた担持装置に下方から取り付けられなければならない。また、顕微鏡ホルダを固定するための方法は他にも幾つか知られており、例えば、ボルトを用いて上方から又は前方即ち水平方向から固定することができる。顕微鏡１の位置の調節を可能とするために、顕微鏡ホルダ２はボルト３の軸線の周りで回動可能であることが好ましい。
【０００４】
顕微鏡ホルダは、従来は、担持装置の選択された位置（作業位置）に顕微鏡ホルダを保持するクランプ装置によって固定されていた。とりわけ下方から固定される場合（図１参照。）は、作業位置を変更するためにこの種のクランプ装置を緩める（緩和する）と、ボルトが担持装置から外れ、その結果顕微鏡ホルダが顕微鏡と共に落下するという危険がある。従って、ボルトの軸線の周りで回転される場合、即ち作業位置を変更する場合、利用者は作業信頼性を享受できない。
【０００５】
図２は、上述の種類のクランプ装置を有する顕微鏡ホルダのための既知の固定装置の模式的側面図（Ａ）及び模式的平面図（Ｂ）である（非特許文献１参照）。この既知の装置では、顕微鏡ホルダのボルトは、受容ボア７を介して下方から担持装置８に導入するのが好ましく、このために、クランプレバー９は受容ボア７の内部が開放されるまで外部に枢動されなければならない。そして、受容ボア７に導入（挿通）された顕微鏡ホルダのボルトは、クランプレバー９を枢動して中に戻すことにより（所定）位置においてクランプされる。通常は、顕微鏡ホルダのボルトは、その外面に、クランプレバー９のリンクないし連結部材が係合する陥凹部を有する。クランプレバー９のクランプ作用はスクリュウ固定部材１０を締めることによって増強することができる。そして、作業位置はスクリュウ固定部材１０を緩める（緩和する）ことによって調節することができる。
【非特許文献１】“SMS15 Table Clamp Boom Stand”ダイアグノスティック・インスツルメンツ社（Diagnostic Instruments）、ウェブサイト http://www.diaginc.com/
【発明の開示】
【発明が解決しようとする課題】
【０００６】
上記の既知の固定装置では、そのクランプレバーないしプレートはプラスチックで作製されているため、スクリュウ固定部材１０を緩めると、滑り性プラスチック（fliessender Kunststoff）のために、顕微鏡ホルダのボルトがクランプレバーないしプレートから完全に外れるという危険がある。プラスチックの弾性と低耐磨耗性のために、この既知の装置のクランプ作用は時間と共に低下する。固定を行うためにクランプレバーを外部へ枢動させる必要があるので、顕微鏡ホルダを上方から固定することは、クランプレバーが顕微鏡ホルダと衝突し得るので、現実的には不可能である。更に、水平方向の固定もこの既知の装置では不可能である。その他の欠点も、喪失（脱落）し得る部材（スクリュウ固定部材１０）の存在及び人間工学的設計形態に関わっている。
【０００７】
それゆえ、本発明の課題は、顕微鏡ホルダを（正面から）水平方向でも（上方又は下方から）鉛直方向でも種々の顕微鏡ホルダのための担持装置に固定することができる、顕微鏡ホルダを固定するための安全な装置を提供することである。本発明の固定装置は、本質的に、利用者に対する高度の安全性を提供し、人間工学的にも良好に設計され、長寿命ないし高い耐久性を有するべきである。
【課題を解決するための手段】
【０００８】
上記の課題を解決するために、本発明の一視点により、顕微鏡ホルダを選択された位置に保持するためのクランプ装置を有すると共に担持装置に顕微鏡ホルダを固定するための固定装置が提供される。この固定装置において、前記顕微鏡ホルダを前記担持装置に付加的に固定するためのロック装置を有することを特徴とする（形態１・基本構成）。
【発明の効果】
【０００９】
本発明の独立請求項１により、上記課題に対応する効果が上述の通り達成される。即ち、本発明の固定装置は、水平方向においても鉛直方向においても顕微鏡ホルダを担持装置に安全・確実に固定することができ、人間工学的にも良好に構成することができ、寿命ないし耐久性も大きい。
更に、各従属請求項により、付加的な効果が後述の通りそれぞれ達成される。
【発明を実施するための最良の形態】
【００１０】
以下に、本発明の好ましい実施の形態を上記基本構成を形態１として示すが、これらは従属請求項の対象でもある。
（２）上記形態１の固定装置において、前記クランプ装置は、クランプスクリュウを有することが好ましい（形態２）。
（３）上記形態１又は２の固定装置において、前記顕微鏡ホルダは、前記担持装置の受容ボアと嵌合可能なボルトを有すること、及び前記ロック装置は、前記ボルトの雌ネジ部に螺入可能なスクリュウを有することが好ましい（形態３）。
（４）上記形態３の固定装置において、前記ロック装置は、前記ボルトのための前記担持装置の前記受容ボアの径より大きい外径を有するワッシャを有することが好ましい（形態４）。
（５）上記形態３又は４の固定装置において、前記クランプ装置は、前記ボルトのための前記受容ボアの内部に前記担持装置を介して螺入可能なクランプスクリュウを有すると共に、当該（クランプスクリュウの）螺入の方向は、前記ボルトのための前記受容ボア（の軸線）の方向に対し好ましくは垂直に指向されるよう構成されることが好ましい（形態５）。
（６）上記形態１又は２の固定装置において、前記顕微鏡ホルダは、前記担持装置の受容ボアと嵌合可能なボルトを有すること、及び前記ロック装置は、ロック位置において前記受容ボア内の前記ボルトを保持するよう構成されバネ付勢されたスライド部材を有すると共に、該スライド部材のための収容ボアは、前記顕微鏡ホルダのボルトのための鉛直方向に指向された受容ボアに対し好ましくは垂直に延在するよう構成されることが好ましい（形態６）。
（７）上記形態６の固定装置において、前記スライド部材の一端面は、前記ロック位置において、前記顕微鏡ホルダの前記ボルトの側面陥凹部ないし小径部（seitliche Eindrehung）にスナップ式に（跳躍的ないし速動的に）嵌り込むよう構成されることが好ましい（形態７）。
（８）上記形態６又は７の固定装置において、前記スライド部材は、該スライド部材が前記ボルトのための前記受容ボアの内部に陥入しないよう配された待機位置へ移動可能に構成されることが好ましい（形態８）。
（９）上記形態６〜８の固定装置において、前記クランプ装置は、前記ボルトのための前記受容ボアの内部に前記担持装置を介して螺入可能なクランプスクリュウを有すると共に、当該（クランプスクリュウの）螺入の方向は、前記ボルトのための前記受容ボア（の軸線）の方向に対し好ましくは垂直に延在するよう構成されることが好ましい（形態９）。
（１０）上記形態９の固定装置において、前記クランプスクリュウの螺入の方向は、前記ロック装置の前記スライド部材のための前記収容ボア（の軸線）の方向に対し垂直に延在するよう構成されることが好ましい（形態１０）。
（１１）上記形態１又は２の固定装置において、前記顕微鏡ホルダは、前記担持装置の受容ボアと嵌合可能なボルトを有すること、及び前記ロック装置は、ロック位置へ枢動されたとき前記ボルトのための前記受容ボア内の該ボルトを保持するよう構成され回動可能に結合されたクランプレバーを有することが好ましい（形態１１）。
（１２）上記形態１１の固定装置において、前記クランプレバーは、前記ロック位置において前記顕微鏡ホルダの前記ボルトの側面陥凹部ないし小径部に係合ないし嵌合するリンク係合カム部を有することが好ましい（形態１２）。
（１３）上記形態１１又は１２の固定装置において、前記クランプレバーは、前記受容ボア内のボルトを解放する解放位置へ枢動可能に構成されることが好ましい（形態１３）。
（１４）上記形態１１〜１３の固定装置において、前記クランプレバーの前記リンク係合カム部は、該クランプレバーの枢動範囲の大部分が前記ロック装置のロック位置に対応し、他方前記クランプレバーの枢動範囲の残余の部分、好ましくは所定の枢動位置のみが前記ロック装置の解放位置に対応するよう構成されることが好ましい（形態１４）。
（１５）上記形態１１〜１４の固定装置において、前記クランプレバーは、金属で作製されることが好ましい（形態１５）。
（１６）上記形態１１〜１５の固定装置において、前記クランプ装置は、前記担持装置の前記受容ボア内に配された前記顕微鏡ホルダのボルトが、前記クランプレバーの前記リンク係合カム部と摩擦結合（摩擦による係合による結合：Kraftschluss）することにより位置が固定されるように、好ましくは前記ロック装置の前記クランプレバーに螺入可能に構成された、好ましくは（担持装置から）喪失ないし脱落不能に構成された（nicht verlierbar）ないし脱落防止手段（ストッパ）を有するクランプスクリュウを有することが好ましい（形態１６）。
（１７）上記形態１又は２の固定装置において、前記顕微鏡ホルダは、前記担持装置の受容ボアと嵌合可能なボルトを有すると共に、前記ロック装置は、ロック位置において前記ボルトのための受容ボア内の前記ボルトを保持するよう構成されバネ付勢された挟扼部材を有することが好ましい（形態１７）。
（１８）上記形態１７の固定装置において、前記挟扼部材は、前記ロック位置において前記ボルトの側面陥凹部ないし小径部に係合ないし嵌合するリンク係合カム部を有することが好ましい（形態１８）。
（１９）上記形態１７又は１８の固定装置において、前記挟扼部材は、当該挟扼部材が前記受容ボア内のボルトを解放する解放位置へ弾性力に抗して移動可能に構成されることが好ましい（形態１９）。
（２０）上記形態１７〜１９の固定装置において、前記挟扼部材のロック位置からの移動を阻止するための固定スクリュウを有することが好ましい（形態２０）。
（２１）上記形態１７〜２０の固定装置において、前記クランプ装置は、前記ボルトのための前記受容ボアの内部へ前記担持装置を介して螺入可能に構成されたクランプスクリュウを有すると共に、当該（クランプスクリュウの）螺入の方向は、前記ボルトのための前記受容ボアの（軸線の）方向に対し好ましくは垂直に延在するよう構成されることが好ましい（形態２１）。
（２２）上記形態１〜２１の固定装置において、前記担持装置は、顕微鏡ホルダのボルトのための、互いに対し直交するよう配された２つの受容ボアを有することが好ましい（形態２２）。
【００１１】
本発明の中核的思想は、顕微鏡ホルダを担持装置に固定するためのロック装置を関連する既知の顕微鏡ホルダ固定装置に付加することである。このため、（作業位置（回転角度位置）を調整するための）緩和機能と（顕微鏡ホルダの取り付け・取り外しのための）解放機能が完全に分離される。このため、作業安全性及び信頼性は向上する。
【００１２】
本発明の第１の実施形態では、担持装置は、顕微鏡ホルダのボルトのための受容ボアを有する。このボルトは雌ネジ部を有する。ロック装置は、該ボルトの雌ネジ部に螺入可能なスクリュウを有する。従って、確実な固定を行うために、この実施形態では、顕微鏡ホルダのボルトは担持装置に螺入（陥入）されるが、他方、これとは独立に、顕微鏡ホルダの位置はクランプ装置によって調整可能とされる。ロック装置は、この実施形態の場合スクリュウ固定（部材）であるが、顕微鏡ホルダを除去する（取り出す）ためにのみ螺合解除される。この実施形態では、場合によっては、スクリュウ固定（ないし結合）の強度は、クランプ装置が相応に緩められ（緩和され）たとき、作業位置を変更するためのボルトの回転が依然として可能であるような大きさであることが保証されなければならない。
【００１３】
上記第１実施形態の利点は、ワッシャを有する標準的な市販のスクリュウを使用することができることである。この場合、スクリュウが回転されたときワッシャが担持装置に支持され得るように、ワッシャの外径はボルトのための受容ボアの径よりも大きい。
【００１４】
クランプ装置が、ボルトのための受容ボアの内部に担持装置を介して螺入可能なクランプスクリュウであって、当該クランプスクリュウの螺入の方向がボルトのための受容ボア（の軸線）の方向に対し好ましくは垂直に延在するクランプスクリュウを有するのが好ましい。ボルトは、担持装置の相応の受容ボアに鉛直方向又は水平（かつ平行）方向に挿通することができ、他方、クランプスクリュウは、担持装置に、受容ボア内のボルトに到達しかつ該ボルトをその位置（ないし配向）でクランプするまで、担持装置に対し（側面から）垂直に（水平かつ直交方向に）螺入される。
【００１５】
顕微鏡ホルダに使用されるボルトは、例えば、その外表面の一部に（深さが）凡そ１ｍｍの陥凹部ないし小径部（Eindrehung）を有するので、クランプスクリュウが、その端面ないし端部に関し、ボルトの陥凹部ないし小径部に陥入するよう構成されると都合がよい。クランプスクリュウを締めることにより、顕微鏡ホルダのボルトと摩擦結合（摩擦による係合による結合：Kraftschluss）が形成される。これとは反対に、クランプスクリュウを緩める（緩和する）ことにより、顕微鏡ホルダの回転ないし枢動が可能となる。顕微鏡ホルダの枢動運動の間、本発明によれば、クランプ装置を活性化（作動）してもロック装置には影響は及ばないので、顕微鏡ホルダは担持装置に堅固に結合した（脱落不能な）状態に維持される。
【００１６】
本発明の第２の実施形態では、担持装置は、この場合も、顕微鏡ホルダのボルトと嵌合可能な受容ボアを有するが、ロック装置は、そのロック位置においてボルトのための受容ボアの内部に突入するよう構成されバネ付勢されたスライド部材を有する。この実施形態では、ロック機能は、受容ボア内に収容されたボルトに対し弾性力によって押圧するスライド部材によって実行される。スライド部材のための収容ボアは、顕微鏡ホルダのボルトのための（鉛直）受容ボアに対し垂直に延在すると都合がよい。
【００１７】
ロック位置においてスライド部材が顕微鏡ホルダのボルトの側面陥凹部ないし小径部にスナップ式に（跳躍的ないし速動的に）嵌り込むようにスライド部材の端面が構成されると都合がよい。
【００１８】
顕微鏡ホルダを担持装置に取り付けるために、スライド部材は、ボルトのための受容ボアが開放されるよう、バネの弾性力に抗して押し戻される。これを実現するために、（利用者が）力を印加しなくても、スライド部材が顕微鏡ホルダのボルトのための受容ボアの内部に突入しないように構成される待機位置をロック装置が有すると都合がよい。
【００１９】
クランプ装置は、上記第１実施形態と同様に構成することができる。
【００２０】
この場合、クランプスクリュウの螺入の方向は、ロック装置のスライド部材のための収容ボア（の軸線）の方向に対し垂直に延在すると都合がよい。このようにして、鉛直方向に配されたボルトのための（鉛直方向）受容ボアと、ロック装置のスライド部材のための収容ボアと、クランプスクリュウの挿通ボアは、何れも互いに対し直交して配置することができ、これによって、各構成要素の人間工学的に好ましい配置が達成される。
【００２１】
本発明の第３の実施形態では、担持装置は、顕微鏡ホルダのボルトのための受容ボアを有し、ロック装置は、ロック位置へ枢動可能に構成された回動ないし枢動可能に取り付けられたクランプレバーないしプレートを有する。このロック位置において、クランプレバーないしプレートは受容ボア内のボルトを保持する。
【００２２】
この実施形態では、ロック装置は、本質的に、担持装置の受容ボア内に導入ないし挿通されたボルトをロックする、即ち担持装置から離脱ないし脱落しないようボルトを固定する枢動クランプレバーによって構成される。
【００２３】
この目的のために、ボルトが側面陥凹部ないし小径部を有し、クランプレバーが相応に構成されたリンク係合カム部ないし当接面（ないしプロフィル）（Kulisse）を有しロック位置においてボルトのための受容ボアに突入（陥入）するクランプレバーリンク係合カム部がボルトの側面陥凹部ないし小径部に係合ないし嵌合することによりボルトを固定するよう構成されると都合がよい。
【００２４】
この実施形態において高度の安全性を達成するために、クランプレバーの枢動範囲の大部分、即ち好ましくは少なくとも５０％、より好ましくは少なくとも７５％、更に好ましくは少なくとも９０％、最も好ましくはクランプレバーのただ１つの（解放）位置を除く全ての枢動範囲がロック装置のロック位置に該当し、クランプレバーの枢動範囲の残余の部分が解放位置、即ち顕微鏡ホルダのボルトが担持装置の受容ボアから引き抜き可能とされる（即ち顕微鏡ホルダが担持装置から分離（離脱）可能とされる）位置に該当するよう構成されると都合がよい。クランプレバーがただ１つ（一点）の位置においてのみボルトを解放するよう構成すると都合がよいことを再言しておく。
【００２５】
安全・確実なロック作用は、クランプレバーが金属製であると実現可能性は特に大きくなる。
【００２６】
この第３実施形態では、クランプ装置は、本質的に、好ましくは（担持装置から）喪失ないし脱落不能に構成された（nicht verlierbar）（ないし脱落防止手段（ストッパ）を有する）クランプスクリュウによって構成することができ、クランプスクリュウが緩められる（又は螺合解除される）と、顕微鏡ホルダは特定の作業位置へ移動可能となる一方で、ロック装置によって担持装置に固定的に保持される。また、クランプスクリュウは、この場合も、ボルトのための受容ボアの内部に担持装置を介して再び螺入することができ、ボルトが挿入されると、摩擦結合によってボルトを特定の位置で保持する。
【００２７】
この実施形態の一変形形態では、クランプスクリュウは、顕微鏡ホルダのボルトのための受容ボアに係合ないし嵌合するのではなく、ロック装置のクランプレバーの雌ネジ部に螺入するよう構成される。ボルトをロックするクランプレバーが、クランプスクリュウの締め付けによってボルトに対して押し付けられることにより、顕微鏡ホルダは、クランプレバーのリンクないしゲートと摩擦結合及び形状結合（形状ないし輪郭間の嵌め合いによる係合による結合：Formschluss）によって選択された位置に保持される。
【００２８】
この実施形態においても、クランプスクリュウはクランプレバーがロック位置にあるときにのみクランプレバーと螺合可能に構成されているので、クランプスクリュウが緩められても（又は螺合解除されても）ボルトが誤って解放されることはないことに注意すべきである。クランプスクリュウが螺合解除されかつクランプレバーが解放位置へ枢動された場合にのみ、顕微鏡ホルダのボルトは担持装置から離脱することができるように構成されている。
【００２９】
本発明の第４の実施形態では、担持装置は、この場合も、当該受容ボアと嵌合可能な顕微鏡ホルダのボルトのための受容ボアを有するが、この実施形態では、ロック装置は、ロック位置において受容ボア内のボルトを固定するバネ付勢される挟扼部材（Klemmzange）を有する。
【００３０】
この実施形態では、バネ付勢挟扼部材が回転軸線の周りで回動可能であるように取り付けられ、その一方の端部はバネによって支持され、他方の端部は顕微鏡ホルダのボルトを確実にロックするよう構成されたリンク係合カム部ないし係合当接部（Kulisse）を有する。この場合、挟扼部材が、静止した（不活性）状態にあるとき、ロック位置に在り、かつバネ力に抗して挟扼部材を活性化することにより、挟扼部材が、担持装置の受容ボア内に存するボルトが解放される解放位置へもたらされ得るよう構成されると都合がよい。
【００３１】
この第４実施形態では、クランプ装置は、同様に、ボルトのための受容ボアの内部に螺入し、当該ボルトを摩擦結合により選択された位置に保持可能に構成されたクランプスクリュウによって構成することができる。挟扼部材のリンクは、クランプスクリュウが緩和された（又は螺合解除された）ときボルトが受容ボア内で回動可能となるように構成される。
【００３２】
この実施形態では、挟扼部材が解放位置を目指して活性化（可動化）されるのを阻止する固定スクリュウを更に有すると都合がよい。このため、固定スクリュウは、挟扼部材を支持（付勢）するバネと平行に延在し、固定スクリュウが螺合解除されたときにのみ挟扼部材がバネ力に抗して活性化可能となるように構成されると都合がよい。
【００３３】
本発明の装置においては、担持装置が、互いに対し直交するよう延在する顕微鏡ホルダのボルトのための２つの受容ボアを有すると都合がよい。これによって、顕微鏡ホルダの鉛直方向固定又は水平方向固定を選択することが可能となる。即ち、顕微鏡ホルダのボルトは、担持装置の相応の受容ボア内に、上方から又は下方から又は水平方向の正面から挿入することが可能となる。
【００３４】
本発明の実施例を図面を参照して詳細に説明する。なお、以下の実施例は発明の理解の容易化のためのものであり、本発明の技術的思想を逸脱しない範囲において当業者により実施可能な付加・置換等を排除することは意図しない。また、特許請求の範囲に付した図面参照符号も発明の理解の容易化のためのものであり、本発明を図示の態様に限定することは意図しない。なお、これらの点に関しては補正・訂正後においても同様である。
【実施例】
【００３５】
図１及び図２については、本発明の背景をなす従来技術の問題点と関連して既に説明したので、以下では詳細には説明しない。
【００３６】
本発明の上記第１実施形態〜第４実施形態は、それぞれ、後述する第１実施例〜第４実施例に対応する。これらに関しては、図３〜図７を参酌してその有利な特徴と共に詳細に説明する。
［実施例１］
【００３７】
図３は、顕微鏡ホルダのための本発明の第１実施例の固定装置を有する担持装置１０８の一部である。本発明のこの固定装置は、本質的にクランプ装置１２０とロック装置１１５とから構成される。図３（Ａ）及び図３（Ｂ）は、同じ部分を異なる角度から見た図である。図３（Ａ）は、顕微鏡ホルダ１０２のボルト１０３の軸線を含みかつ担持装置１０８の長手軸に平行な面に関する断面図であり、該ボルト１０３は担持装置１０８の相応の受容ボア１０７内に鉛直方向下方から嵌合（挿入）されている。本発明のこのロック装置１１５は、本質的に、ボルト１０３を担持装置１０８に固定するために役立つワッシャ１１２を有するスクリュウ１１１から構成される。この目的のため、ボルト１０３はスクリュウ１１１を螺入可能な雌ネジ部１１０を有する。この実施例では、ワッシャ１１２はボルトのための鉛直方向の受容ボア１０７の周縁部において支持される。図３（Ａ）に示した位置ないし状態において、ボルト１０３はその軸線の周りで回動することができるため、ボルトの軸線の周りで顕微鏡ホルダ１０２を回転することにより作業位置を任意に選択することができる。
【００３８】
第１実施例においては、クランプスクリュウ１１３がクランプ装置１２０の主要部分を構成する。所望の作業位置が選択されると、クランプスクリュウ１１３を締めることにより、ボルト１０３のその軸線周りでの更なる回転が阻止される。図示の実施例では、このクランプスクリュウ１１３は、ボルトのための鉛直方向受容ボア１０７に対し、当該ボルト１０７の軸線に対し直交する方向に螺入されるため、その端面によってボルトの表面を押圧することができる。顕微鏡ホルダ１０２のボルト１０３は、好ましくは、側面陥凹部ないし小径部（seitliche Eindrehung）１１４を有する。クランプスクリュウ１１３の端面がこの側面陥凹部１１４内に侵入して押圧し摩擦結合（摩擦による係合による結合：Kraftschluss）によってボルトをその位置ないし状態に保持するよう構成されると都合がよい。図３（Ｂ）はボルトが選択された位置においてクランプ（保持）された状態を示している。
【００３９】
本発明の第１実施例は、理論上、顕微鏡ホルダの水平方向の固定に適用することも可能である。このために、顕微鏡ホルダのボルトは水平方向の受容ボア１０９に挿入される。他方、このような固定形式を採用することにより、ロック装置は必ずしも作動される必要はない。というのは、クランプ装置を緩和した（又は螺合解除した）ときに顕微鏡ホルダが予期せず脱落することは、そのためにはボルトが（水平方向の）受容ボア１０９から完全に抜け出さなければならないので、殆ど起こり得ないからである。そのため、本発明の第１実施例は、顕微鏡ホルダの鉛直方向の固定に、即ちボルトがとりわけ鉛直方向下方から挿入される場合に、とりわけ好適である。
【００４０】
本発明の第１実施例は、ロック装置がスクリュウとワッシャを有していればよく、他方顕微鏡ホルダのボルトが対応する雌ネジ部を有していればよいという点で、その単純性がとりわけ特徴的である。なお、図示のスクリュウ結合ないし固定は、適正な押しばめないし差込による結合ないし固定（Steckverbindungen）又は磁力による結合ないし固定のようなボルトと担持装置とを結合するための他の機械的手段によって置き換えることができることをここに指摘しておく。
［実施例２］
【００４１】
図４は、本発明の固定装置の第２実施例を異なる３つの角度から見た図である。図示の担持装置２０８は、この場合、旋回アーム４（図１参照。）のような担持アームに取り付け可能なように構成されている。しかしながら、旋回アームの端部において一体化して構成することも可能である。担持装置２０８は、顕微鏡ホルダの鉛直方向の固定のための受容ボア２０７及び水平方向の固定のための受容ボア２０９を有する。図４（Ｂ）の平面図は、ラッチボルト２２１によって作動可能に構成されかつバネ２２２（又は復元力を生成するその他の適切な要素）に取り付けられたスライド部材２２４を明確に示している。バネ２２２及びスライド部材２２４は、担持装置２０８内の相応の収容ボアに配される。ラッチボルト２２１、スライド部材２２４及びバネ２２２は、この実施例では、本発明のロック装置２１５の本質的要素をなす。バネ２２２から遠い方のスライド部材２２４の端部は、鉛直方向受容ボア２０７に挿入されている顕微鏡ホルダのボルトをその位置ないし状態で固定的に保持すると共に、顕微鏡ホルダをボルト軸線の周りでなお回動可能とするために適するよう構成された端面を有する。図示の実施例では、スライド部材２２４の当該端面は、顕微鏡ホルダのボルトの側面陥凹部ないし小径部にスナップ式に（跳躍的ないし速動的に）嵌り込む。ボルトの直径は、例えば、１５．８ｍｍであるのに対し、側面陥凹部ないし小径部の径は、例えば、１４．０ｍｍである。かくして形成される深さ０．９ｍｍのショルダは、スライド部材を陥凹部にスナップ式に嵌め込むことによりボルトを担持装置２０８に固定的に保持するために理想的に適する。
【００４２】
顕微鏡ホルダのための適切な作業位置は、ボルトの軸線の周りで顕微鏡ホルダを回転することにより選択することができる。そして、顕微鏡ホルダは、この実施例では本質的にクランプスクリュウ２１３から構成されるクランプ装置によって固定される。第１実施例の場合と同様に、クランプスクリュウは、鉛直方向受容ボア２０７に対し直交する方向に担持装置２０８を介して当該受容ボア２０７に螺入され、受容ボア２０７内のボルトと摩擦結合することにより当該ボルトを（選択された作業位置に）保持する。この場合も、クランプスクリュウ２１３を緩めても（又は螺合解除しても）、ボルトが受容ボア２０７から予期せず解放される（抜け落ちる）ことはない。
【００４３】
受容ボア２０７内に挿入されたボルトを受容ボア２０７から抜き取るために、ラッチボルト２２１は、バネ２２２の押圧力に抗して押し戻され、受容ボア２０７内のボルトが解放ないし露出される。この操作をより容易にするために、例えば挿入の方向に対し横方向ないし直交方向に担持装置に（フライス）加工された適切なリセスを設けることにより、スライド部材２２４のために待機位置２２５を設けることが好ましい。この場合、ラッチボルト２２１はこのリセスに導かれるため、利用者は、顕微鏡ホルダを調整するときバネ２２２の押圧力に抗してラッチボルト２２１を支える必要がなくなる。
【００４４】
図示の実施例は、顕微鏡ホルダのボルトを水平方向の受容ボア２０９に押し込むことによって達成される顕微鏡ホルダの水平方向の取り付けにも適する。この目的のために、ロック装置２１５のロックないし係止機能は、例えばラッチボルト２２１をその待機位置２２５へ移動することにより、有利に不活性化することができる。このとき、ボルトは、受容ボア２０９の中に十分奥深く嵌り込み、選択された位置にクランプスクリュウによって保持されることが可能となる。
［実施例３］
【００４５】
図５は、本発明の固定装置の第３実施例を異なる３つの角度から見た図である。ロック装置３１５は、本質的に、クランプレバーないしプレート３２６から構成され、クランプ装置３２０は、本質的に、この実施例ではロック装置３１５と相互作用するよう構成されるクランプスクリュウ３１３から構成される。図３（Ａ）は、固定装置の第３実施例の平面図であり、異なる２つの位置にあるクランプレバー３２６を同時に示している。クランプレバー３２６は、枢動可能に取り付けられるが、その回転中心を符号３２７で示す。図示の実施例では、回転中心は、鉛直方向受容ボア３０７に近接して位置している。
【００４６】
ロック作用を説明する目的のために、上記各実施例の場合と同様に、顕微鏡ホルダのボルトが側面陥凹部ないし小径部を有することを出発点とする。クランプレバーないしプレート３２６のリンク係合カム部（Kulisse）３２８は、担持装置の受容ボアに（鉛直方向であるか水平方向であるかを問わず）挿入された任意のボルトを固定的にロックするよう構成される。この目的のため、リンク係合カム部３２８は、クランプレバー３２６がロック位置へもたらされたときボルトの側面陥凹部ないし小径部に嵌り込む。図示の実施例では、クランプレバーは、顕微鏡ホルダの取り付け・取り外しを可能にするために、何れの挿入態様に対しても、９０°に亘って枢動される必要がある。クランプレバー３２６を枢動することにより、直ちに、ロック作用が惹起され、ボルトの予期せぬ解放（脱落）に対するほぼ完全な保護を提供する。
【００４７】
図示の実施例では、クランプ装置３２０は、クランプレバーの雌ネジに螺入するクランプスクリュウ３１３によってロック装置３１５と連結する。クランプスクリュウ３１３は、紛失を阻止するために、担持装置３０８に分離しないよう結合されるのが好ましい。クランプスクリュウ３１３を締めることにより、クランプレバー３２６は、担持装置の内部へより強力に引き付けられるため、ロックされたボルトに対する付勢力は増加する。クランプスクリュウ３１３を締めることにより、この付勢力を増強することができるため、ボルトの軸線の周りでの回転による顕微鏡ホルダの（角度）位置の如何なる変更も完全に阻止することができる。
【００４８】
この実施例において指摘すべき重要な点は、クランプスクリュウ３１３を緩和したり更には羅合解除したとしても、ボルトが受容ボアから予期せず解放（脱落）されることはないということである。というのは、この解放が起こるためには、更に、クランプレバーを９０°枢動する必要があり得るからである。
【００４９】
図５（Ｂ）は、図５（Ａ）に示した本発明の固定装置の第３実施例の側面図である。図５（Ｃ）は、この実施例の斜視図である。
［実施例４］
【００５０】
図６及び図７は、本発明の固定装置の第４実施例であり、ロック装置は、本質的に、挟扼部材から構成され、クランプ装置は、本質的に、クランプスクリュウから構成される。この両図において、挟扼部材は符号４２９で示され、クランプスクリュウは符号４１３で示されている。図６（Ａ）及び図７（Ａ）は、顕微鏡ホルダを鉛直方向に固定するための受容ボア４０７及び水平方向に固定するための受容ボア４０９を有する担持装置４０８の基本構造を示す。図６（Ｂ）は、顕微鏡ホルダを鉛直方向に取り付けるためにセットアップされた様子を示し、図７（Ｂ）は、顕微鏡ホルダを水平方向に取り付けるためにセットアップされた様子を示す。
【００５１】
第４実施例においては、ロック装置４１５は、回転軸４３０の周りで回動可能に取り付けられる挟扼部材４２９によって構成され、該挟扼部材４２９の一方の端部はバネ４３１（の一端部）に載置される。バネ４３１から遠い方の挟扼部材４２９の端部は、そのロック位置において、受容ボア４０７の内部に嵌り込む（平面図を示す図６（Ｂ）参照。）。このため、挟扼部材４２９のリンク係合カム部４２８（ないし更に一般的にはプロフィル）は、例えば顕微鏡ホルダのボルト４０３の側面陥凹部ないし小径部の壁面ないし肩部との堅固な結合を生成するよう構成される。挟扼部材４２９の他方の（リンク係合カム部が形成されていない方の）端部をバネ４３１の弾性力に抗して押し付けることにより、受容ボア４０７内のボルト４０３は係合から解放され、ボルト４０３を受容ボア４０３から引き抜くことが可能となる。安全性の確保を最大限大きくするために、リンク係合カム部４２８は、挟扼部材４２９がバネ４３１に抗して完全に押し下げられたときにのみボルト４０３が解放されるように構成される。
【００５２】
図示の第４実施例では、クランプ装置４２０は、その構造において第１実施例及び第２実施例のクランプ装置と同一である。
【００５３】
図７（Ｂ）は、本発明の固定装置の第４実施例において、顕微鏡ホルダ４０２が水平方向に取り付けられた状態の、図６（Ｂ）と同じ側面から見た様子を示す。このため、挟扼部材４２９のリンク係合カム部４２８は、（形状結合（形状間の嵌め合いによる係合による結合：Formschluss）及び／又は摩擦結合によって）水平方向での固定ないし保持中においても鉛直方向での固定ないし保持中においてもボルト４０３の側面陥凹部ないし小径部４１４に係止するよう構成される。何れの形態の固定の場合においても、クランプスクリュウ４１３が緩和又は更には螺合解除されても顕微鏡ホルダが担持装置４０８から予期せず離脱ないし落下できないように、リンク係合カム部４２８はボルト４０３の側面陥凹部ないし小径部４１４に嵌り込むことができる。
【００５４】
一変形例（不図示）においては、バネ４３１に対し平行に延在しかつ（担持装置４０８に関し）バネ４３１と同じ側に位置する固定スクリュウが設けられる。この固定スクリュウは、螺入されると挟扼部材４２９の下面（担持装置の内部側を指向する面）に当接し、挟扼部材４２９がバネ４３１の弾性力に抗して押し下げられる（活性化される）のを不可能とする。この種の固定スクリュウは挟扼部材の意図しない押圧に対する防御を提供することができる。
【００５５】
図示の第１実施例から第４実施例の何れにおいても、ロック装置のロック作用を生成する構造要素が、信頼性の大きいロック作用と長寿命を達成するよう、金属のような不撓性材料（unnachgiebiges Material）で作製されると都合がよい。本発明は、顕微鏡ホルダが担持装置から予期せず脱落するのを不可能とするよう、既知のクランプ作用に加えて、鉛直方向の取り付け要素（vertikale Montage）を使用する場合に、とりわけ効果的なロック作用の達成を可能とする。このため、本発明は、作動安全性ないし作業安全性を向上することができる。更に、本発明は、担持装置の人間工学的に好ましい形態を達成しつつ顕微鏡ホルダを取り付ける種々の可能性を提供することができる。
【図面の簡単な説明】
【００５６】
【図１】顕微鏡が取り付けられた旋回アーム架台の側面図。
【図２】顕微鏡ホルダを固定するための既知の装置の２つの側面図。
【図３】本発明の固定装置の第１実施例の模式図。（Ａ）は側面から見た断面図。（Ｂ）は平面図。（破線は内部構造を示す。）
【図４】本発明の固定装置の第２実施例の模式図。（Ａ）は側面図。（Ｂ）は平面図。（Ｃ）は斜視図。（破線は内部構造を示す。）
【図５】本発明の固定装置の第３実施例の模式図。（Ａ）は平面図。（Ｂ）は側面図。（Ｃ）は斜視図。（破線は、場合により、内部構造を示す。）
【図６】本発明の固定装置の第４実施例の模式図。（Ａ）は顕微鏡ホルダのための複数の結合可能性を有する固定装置の担持装置の側面から見た断面図。（Ｂ）は顕微鏡ホルダ（不図示）が鉛直方向に取り付けられた状態を上から見た断面図。
【図７】本発明の固定装置の第４実施例の模式図。（Ａ）は顕微鏡ホルダのための複数の結合可能性を有する固定装置の担持装置の側面から見た断面図。（Ｂ）は顕微鏡ホルダ（一部のみ図示）が水平方向に取り付けられた状態を上から見た断面図。
【符号の説明】
【００５７】
１                                  顕微鏡
２、１０２、４０２                  顕微鏡ホルダ
３、１０３、４０３                  顕微鏡ホルダのボルト
４                                  旋回アーム
５                                  支柱
６                                  基底プレート
７、１０７、２０７、３０７、４０７  ボルトのための（鉛直方向）受容ボア
８、１０８、２０８、３０８、４０８  担持装置（キャリア）
９                                  クランプレバー
１０                                スクリュウ固定部材
１０９、２０９、３０９、４０９      ボルトのための（水平方向）受容ボア
１１０                              ボルトの雌ネジ部
１１１                              スクリュウ
１１２                              ワッシャ
１１３、２１３、３１３、４１３      クランプスクリュウ
１１４、４１４                      ボルトの陥凹部ないし小径部
１１５、２１５、３１５、４１５      ロック装置
１２０、２２０、３２０、４２０      クランプ装置
２２１                              ラッチボルト
２２２                              バネ
２２３                              スライド部材の収容ボア
２２４                              スライド部材
２２５                              スライド部材の待機位置
３２６                              クランプレバー
３２７                              枢動中心（軸線）
３２８                              クランプレバーのリンク係合カム部
４２８                              挟扼部材のリンク係合カム部
４２９                              挟扼部材
４３０                              挟扼部材の回転軸
４３１                              バネ
【図１】
2005284277.tif 000003
【図２】
2005284277.tif 000004
【図３】
2005284277.tif 000005
【図４】
2005284277.tif 000006
【図５】
2005284277.tif 000007
【図６】
2005284277.tif 000008
【図７】
2005284277.tif 000009